(57)【要約】      （修正有）【課題】複数対の導子を用いてトリートメント時間を短縮し、患者に与えるおそれがある苦痛を抑制することができる美顔装置を提供する。【解決手段】顔面に当接させた対を成す導子の間に低周波電気パルスを通電させて顔面のトリートメントを行う美顔装置において、一対のプローブ３，４のそれぞれに対を成す導子７ａ，８ａ（７ｂ，８ｂ）を複数設け、各対を成す導子の間に同一又は異なる低周波電気パルスを通電させる。一対のプローブを先端が開閉可能な一体的な形状に形成して、先端に設けた導子の間隔を調整可能とするのが好ましい。【選択図】図１
0003205552.tif 000002
【実用新案登録請求の範囲】
【請求項１】
顔面に当接させた対を成す導子の間に低周波電気パルスを通電させて顔面のトリートメントを行う美顔装置において、
一対のプローブのそれぞれに対を成す導子のそれぞれの導子を複数設けることで複数対を成す導子を形成し、各対を成す導子の間に同一又は異なる低周波電気パルスを通電させることを特徴とする美顔装置。
【請求項２】
前記一対のプローブを先端が開閉可能な一体的な形状に形成して、先端に設けた導子の間隔を調整可能としたことを特徴とする請求項１に記載の美顔装置。
【考案の詳細な説明】
【技術分野】
【０００１】
本考案は、顔面に当接させた導子に低周波の電気パルスを通電させて顔面のトリートメントを行うことができる美顔装置に関するものである。
【背景技術】
【０００２】
従来より、顔面に低周波電気パルスを通電させる低周波治療器が広く利用されている。
【０００３】
従来の低周波治療器では、２本のプローブの先端に１個の導子をそれぞれ形成しており、施術者がプローブを１本づつ持って、それぞれのプローブに設けられた導子を患者の顔面に間隔をあけて当接させて治療を行うように構成されている（たとえば、特許文献１参照。）。
【先行技術文献】
【特許文献】
【０００４】
【特許文献１】実公平６−１３７５５号公報
【考案の概要】
【考案が解決しようとする課題】
【０００５】
ところが、上記従来の低周波治療器では、施術者が１個の導子を先端に設けた２本のプローブを顔面上で移動させながら治療を行うものであるため、治療行為に多大な時間を要し、患者に苦痛を感じさせてしまうおそれがあった。
【課題を解決するための手段】
【０００６】
そこで、請求項１に係る本考案では、顔面に当接させた対を成す導子の間に低周波電気パルスを通電させて顔面のトリートメントを行う美顔装置において、一対のプローブのそれぞれに対を成す導子のそれぞれの導子を複数設けることで複数対を成す導子を形成し、各対を成す導子の間に同一又は異なる低周波電気パルスを通電させることにした。
【０００７】
また、請求項２に係る本考案では、前記請求項１に係る本考案において、前記一対のプローブを先端が開閉可能な一体的な形状に形成して、先端に設けた導子の間隔を調整可能とすることにした。
【考案の効果】
【０００８】
そして、本考案では、以下に記載する効果を奏する。
【０００９】
すなわち、本考案では、顔面に当接させた対を成す導子の間に低周波電気パルスを通電させて顔面のトリートメントを行う美顔装置において、一対のプローブのそれぞれに対を成す導子のそれぞれの導子を複数設けることで複数対を成す導子を形成し、各対を成す導子の間に同一又は異なる低周波電気パルスを通電させることにしているために、複数対を成す導子を用いて同時に顔面のトリートメントを行うことができるので、トリートメントに要する時間を短縮することができ、患者に与える苦痛を抑制することができる。
【００１０】
特に、一対のプローブを先端が開閉可能な一体的な形状に形成して、先端に設けた導子の間隔を調整可能とした場合には、患者の顔面の状況やトリートメントの内容などに応じて複数対を成す導子の間隔を容易に調整することができるので、熟練者でなくても容易に顔面のトリートメントを行うことができ、美顔装置の使い勝手を向上させることができる。
【図面の簡単な説明】
【００１１】
【図１】美顔装置を示す説明図。
【図２】美顔装置を示す説明図。
【考案を実施するための形態】
【００１２】
以下に、本発明に係る美顔装置及びそれに用いるプローブの具体的な構成について図面を参照しながら説明する。
【００１３】
図１に示すように、美顔装置１は、低周波のパルス状の電気信号（低周波電気パルス）を発生させる低周波電気パルス発生器２に一対のプローブ（第１のプローブ３、第２のプローブ４）をコード5,6を介して電気的に接続した構成となっている。
【００１４】
各プローブ3,4には、先端に２個の導子7a,7b（8a,8b）が同一の間隔をあけて交換可能に設けられている。
【００１５】
ここで、第１のプローブ３に設けられた導子7aと第２のプローブ４に設けられた導子8aとが対を成し、また、第１のプローブ３に設けられた導子7bと第２のプローブ４に設けられた導子8bとが対を成し、各対の導子7a,8a（7b,8b）を低周波電気パルス発生器２にそれぞれ独立して別個に電気的に接続している。なお、導子7a,7b,8a,8bは、先端部を球形にして患者の顔面に直接当接する面を滑らかな円弧面としている。
【００１６】
施術者は、一対のプローブ3,4をそれぞれ片手で持ち、顔面に導子7a,7b,8a,8bを当接させ、対を成す導子7a,8a（7b,8b）の間に低周波電気パルスを通電させることで、顔面のトリートメントを行う。その際に、患者の顔面の状況やトリートメントの内容などに応じて対を成す導子7a,8a（7b,8b）の間隔を適宜調整することが望ましい。
【００１７】
なお、各対を成す導子7a,8a（7b,8b）の間には、低周波電気パルス発生器２から同一の低周波電気パルスを同時又は交互に通電させてもよく、また、異なる低周波電気パルスを同時又は交互に通電させることもできる。また、導子7aと導子8aとが対を成し、導子7bと導子8bとが対を成すようにしているが、これに限られず、導子7aと導子8bとが対を成し、導子7bと導子8aとが対を成すようにしてもよい。さらに、各プローブ3,4に設けた導子7a,7b（8a,8b）の間隔を同一としているが、これに限られず、各プローブ3,4に設けた導子7a,7b（8a,8b）の間隔を異ならせてもよい。
【００１８】
このように、上記美顔装置１では、一対のプローブ3,4のそれぞれに対を成す導子7a,8a（7b,8b）のそれぞれの導子7a,7b（8a,8b）を複数（ここでは、２個）設けることで複数対（ここでは、２対）を成す導子7a,8a（7b,8b）を形成し、各対を成す導子7a,8a（7b,8b）の間に同一又は異なる低周波電気パルスを通電させる構成となっている。
【００１９】
そのため、上記構成の美顔装置１では、複数対を成す導子7a,8a（7b,8b）を用いて同時に顔面のトリートメントを行うことができるので、トリートメントに要する時間を短縮することができ、患者に与える苦痛を抑制することができる。
【００２０】
上記美顔装置１では、それぞれ独立した別体のプローブ3,4を用いているが、これに限られず、図２に示す美顔装置1'のように、一対のプローブ（第１のプローブ９、第２のプローブ10）を一体的に形成し、これらのプローブ9,10の先端部に導子7a,7b（8a,8b）をそれぞれ設けてもよい。
【００２１】
ここでは、第１のプローブ９の中途部に第２のプローブ10の基端部を回動可能に連結して、第１のプローブ９に対して第２のプローブ10を回動させることで対を成す導子7a,8a（7b,8b）の間隔を容易に調整することができるようにしている。
【００２２】
なお、第１のプローブ９と第２のプローブ10との間に捩りバネなどを介在させることで一方の導子7a,7bと他方の導子8a,8bとの間隔を広げる方向に向けて第１のプローブ９と第２のプローブ10とを付勢することもできる。また、第１のプローブ９及び第２のプローブ10は、第１のプローブ９に対して第２のプローブ10が所定角度以上に回動しないように（一方の導子7a,7bと他方の導子8a,8bとの間隔が所定範囲（最小間隔から最大間隔までの範囲）以上に広がらないように）第１のプローブ９と第２のプローブ10の外形同士が当接するようにして、対を成す導子7a,8a（7b,8b）が接触して電気的に短絡してしまったり、対を成すプローブ9，10が不必要に広がってしまったりして、故障や破損が生じるのを防止してもよい。
【００２３】
このように、一対のプローブ9,10を先端が開閉可能な一体的な形状に形成して、先端に設けた対を成す導子7a,8a（7b,8b）の間隔を調整可能とした場合には、患者の顔面の状況やトリートメントの内容などに応じて複数対を成す導子7a,8a（7b,8b）の間隔を容易に調整することができるので、熟練者でなくても容易に顔面のトリートメントを行うことができ、美顔装置1'の使い勝手を向上させることができる。
【符号の説明】
【００２４】
1,1'  美顔装置                              ２  低周波電気パルス発生器
3,9  第１のプローブ                         4,10  第２のプローブ
5,6  コード                                7a,7b,8a,8b  導子
【図１】
0003205552.tif 000003
【図２】
0003205552.tif 000004